【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
少なくとも１つのサブフレームに対するヌルトーン密度を決定することと、
前記ヌルトーン密度に基づいて、前記少なくとも１つのサブフレームに対するヌルトーンパターンを発生させることと、
前記ヌルトーンパターンを送信することとを含み、
前記方法は、
前記ヌルトーン密度に基づいて、前記ヌルトーンパターンが、すべてのリソースブロックに割り当てられているか否かを決定することと、
前記ヌルトーンパターンが、すべてのリソースブロックに割り当てられていないことを決定すると、ヌルトーン送信が存在しない、前記リソースブロックにおいて、システム情報ブロック、ＳＩＢ、をスケジューリングすることとをさらに含むことによって特徴付けられている方法。
【請求項２】
前記ヌルトーンパターンは、各リソースブロックにおいて、少なくとも連続したシンボル中にヌルトーンを含む請求項１記載の方法。
【請求項３】
前記ヌルトーンパターンを送信することは、
少なくとも１つのユーザ機器、ＵＥ、に、前記ヌルトーンパターンを送信することと、
少なくとも１つのヌルトーンを含む１以上のサブフレームを識別して、前記ＵＥに、前記１以上の識別したサブフレームをシグナリングすることとのうちの少なくとも１つを含む請求項１記載の方法。
【請求項４】
前記ヌルトーンパターンを送信することは、無認可または共有スペクトルを通して、前記ヌルトーンパターンを送信することを含む請求項１記載の方法。
【請求項５】
ＵＥは、前記ヌルトーンパターンに基づいて、無認可または共有スペクトルにおいて動作しているワイヤレスローカルエリアネットワーク、ＷＬＡＮ、または、ワイヤレスワイドエリアネットワーク、ＷＷＡＮ、によって引き起こされる干渉を検出するように構成されている請求項１記載の方法。
【請求項６】
前記少なくとも１つのサブフレームに対するヌルトーンパターンを発生させることは、
前記少なくとも１つのサブフレームに関係付けられている復調基準信号、ＤＭＲＳ、トーンを識別することと、
前記ＤＭＲＳトーンとの衝突を回避するように、前記少なくとも１つのヌルトーンをマッピングすることとを含む請求項１記載の方法。
【請求項７】
前記少なくとも１つのサブフレームに対するヌルトーンパターンを発生させることは、
前記少なくとも１つのサブフレームに関係付けられている、セル特有基準信号、ＣＲＳ、トーンまたは、同期信号を識別することと、
ＣＲＳによって、または、一次同期信号、ＰＳＳ、および、二次同期信号、ＳＳＳによって、前記ヌルトーンパターンをパンクチャすることとを含み、
前記同期信号は、ＰＳＳおよびＳＳＳのうちの少なくとも１つである請求項１記載の方法。
【請求項８】
少なくとも１つのサブフレームに対するヌルトーンパターンを発生させることは、前記ヌルトーンパターンに周波数におけるシフトを適用することによって、リソースブロックに対する前記ヌルトーンパターンを修正することを含む請求項１記載の方法。
【請求項９】
前記少なくとも１つのサブフレームに対するヌルトーン密度を決定し、前記ヌルトーンパターンを発生させることは、前記少なくとも１つのサブフレームに関係付けられている、少なくとも１つの直交周波数分割多重、ＯＦＤＭ、シンボル上のワイヤレスローカルエリアネットワーク、ＷＬＡＮ、信号からの干渉を検出することに応答する請求項１記載の方法。
【請求項１０】
前記ＷＬＡＮ信号からの前記干渉を検出することに基づいて、前記ヌルトーンパターン発生を活性化することをさらに含む請求項９記載の方法。
【請求項１１】
少なくとも１つの同期信号が、前記ヌルトーンパターンをパンクチャすることを許容することをさらに含む請求項１記載の方法。
【請求項１２】
前記ヌルトーンパターンの周りのエンハンスド物理ダウンリンク制御チャネル、ｅＰＤＣＣＨ、または、物理ダウンリンク共有チャネル、ＰＤＳＣＨ、のうちの少なくとも１つに、速度マッチングをすること、または、
前記少なくとも１つのサブフレームにおけるｅＰＤＣＣＨまたはＰＤＳＣＨのうちの少なくとも１つをパンクチャすることをさらに含む請求項１記載の方法。
【請求項１３】
地上公衆移動体ネットワークに関係付けられている１以上の基地局に対して、前記ヌルトーンパターンを同一であるように構成することをさらに含む請求項１記載の方法。
【請求項１４】
ワイヤレス通信のための装置において、
少なくとも１つのサブフレームに対するヌルトーン密度を決定する手段と、
前記ヌルトーン密度に基づいて、前記少なくとも１つのサブフレームに対するヌルトーンパターンを発生させる手段と、
前記ヌルトーンパターンを送信する手段とを具備し、
前記装置は、
前記ヌルトーン密度に基づいて、前記ヌルトーンパターンが、すべてのリソースブロックに割り当てられているか否かを決定する手段と、
前記ヌルトーンパターンが、すべてのリソースブロックに割り当てられていないことを決定すると、ヌルトーン送信が存在しない、前記リソースブロックにおいて、システム情報ブロック、ＳＩＢ、をスケジューリングする手段とをさらに具備することによって特徴付けられている装置。
【請求項１５】
ワイヤレス通信のためのコードを記憶しているコンピュータ可読媒体において、
前記コードは、請求項１〜１３の方法のうちのいずれか１つをワイヤレス通信装置に実行させることを実行可能な命令を含むコンピュータ可読媒体。
【手続補正２】
【補正対象書類名】明細書
【補正対象項目名】００８５
【補正方法】変更
【補正の内容】
【００８５】
[0094]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）、および他のシステムのような、様々なワイヤレス通信システムに対して使用され得る。用語「システム」および「ネットワーク」は、しばしば交換可能に使用される。ＣＤＭＡシステムは、ＣＤＭＡ２０００、ユニバーサル地上無線アクセス（ＵＴＲＡ）、等のような無線技術を実装し得る。ＣＤＭＡ２０００は、ＩＳ−２０００、ＩＳ−９５およびＩＳ−８５６規格をカバーする。ＩＳ−２０００リリース０およびＡは一般に、ＣＤＭＡ２０００  １Ｘ、１Ｘ、等と呼ばれる。ＩＳ−８５６（ＴＩＡ−８５６）は、一般的に、ＣＤＭＡ２０００  １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他の変形物を含む。ＴＤＭＡシステムは、モバイル通信のためのグローバルシステム（ＧＳＭ（登録商標））のような無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭａｘ）、ＩＥＥＥ８０２．２０、Ｆｌａｓｈ−ＯＦＤＭ等の無線技術を実装し得る。ＵＴＲＡおよびＥ−ＵＴＲＡは、ユニバーサルモバイルテレコミュニケ―ションシステム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するユニバーサルモバイル電気通信システム（ＵＭＴＳ）の新リリースである。ＵＴＲＡ、Ｅ−ＵＴＲＡ、ＵＭＴＳ、ＬＴＥ、ＬＴＥ−Ａ、およびモバイル通信のためのグローバルシステム（ＧＳＭ）は、「第３世代パートナーシッププロジェクト」（３ＧＰＰ）（登録商標）という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明されている技法は、上述されたシステムおよび無線技術と、ならびに他のシステムおよび無線技術にも使用され得る。上記の説明は、しかしながら、実例を目的としてＬＴＥシステムを説明しており、ＬＴＥの専門用語が上記の説明の大部分中で使用されているが、本技法は、ＬＴＥアプリケーションを超えて適用可能である。
以下に、本願出願の当初の特許請求の範囲に記載された発明を付記する。
［１］  ワイヤレス通信のための方法であって、
少なくとも１つのサブフレームに対するヌルトーン密度を決定することと、
前記ヌルトーン密度に基づいて、前記少なくとも１つのサブフレームに対するヌルトーンパターンを生成することと、
前記ヌルトーンパターンを送信することとを備える、方法。
［２］  前記ヌルトーンパターンは、各リソースブロックにおける、少なくとも連続したシンボル中のヌルトーンを備える、［１］に記載の方法。
［３］  前記ヌルトーンパターンを送信することは、少なくとも１つのユーザ機器（ＵＥ）に、前記ヌルトーンパターンを送信することを備える、［１］に記載の方法。
［４］  前記ヌルトーンパターンを送信することは、無認可または共有スペクトルを通して、前記ヌルトーンパターンを送信することを備える、［１］に記載の方法。
［５］  前記ＵＥは、前記ヌルトーンパターンに基づいて、無認可または共有スペクトルにおいて動作されているワイヤレスローカルエリアネットワーク（ＷＬＡＮ）またはワイヤレスワイドエリアネットワーク（ＷＷＡＮ）によって引き起こされた干渉を検出するように構成されている、［１］に記載の方法。
［６］  前記少なくとも１つのサブフレームに対する前記ヌルトーンパターンを生成することは、
前記少なくとも１つのサブフレームに関連付けられた復調基準信号（ＤＭＲＳ）トーンを識別することと、
前記ＤＭＲＳトーンとの衝突を回避するように、前記少なくとも１つのヌルトーンをマッピングすることとを備える、［１］に記載の方法。
［７］  前記少なくとも１つのサブフレームに対する前記ヌルトーンパターンを生成することは、
前記少なくとも１つのサブフレームに関連付けられたセル特有基準信号（ＣＲＳ）トーンを識別することと、
ＣＲＳによって、前記ヌルトーンパターンをパンクチャすることとを備える、［１］に記載の方法。
［８］  少なくとも１つのサブフレームに対する前記ヌルトーンパターンを生成することは、前記ヌルトーンパターンに垂直シフトを適用することによって、リソースブロックに対する前記ヌルトーンパターンを修正することを備える、［１］に記載の方法。
［９］  少なくとも１つのサブフレームに対する前記ヌルトーンパターンを生成することは、
前記少なくとも１つのサブフレームに関連付けられた同期信号を識別することと、ここにおいて、前記同期信号は、一次同期信号（ＰＳＳ）および二次同期信号（ＳＳＳ）のうちの少なくとも１つであり、
ＰＳＳおよびＳＳＳのうちの１つによって、前記ヌルトーンパターンをパンクチャすることとを備える、［１］に記載の方法。
［１０］  前記ヌルトーンパターンを、前記少なくとも１つのＵＥに送信することは、
少なくとも１つのヌルトーンを含む１以上のサブフレームを識別することと、
前記ＵＥに、前記１以上の識別されたサブフレームをシグナリングすることとを備える、［１］に記載の方法。
［１１］  前記ヌルトーンパターンを、前記少なくとも１つのＵＥに送信することは、
前記ヌルトーン密度に基づいて、前記ヌルトーンパターンが、全てのリソースブロックに割り当てられているかを決定することと、
前記ヌルトーンパターンが、全てのリソースブロックに割り当てられていないことを決定次第、システム情報ブロック（ＳＩＢ）をスケジューリングすることと、ここにおいて、前記スケジューリングすることは、ヌルトーン送信が存在しない、前記リソースブロックにおいて、前記ＳＩＢを送信することを備え、を備える、［１］に記載の方法。
［１２］  前記少なくとも１つのサブフレームに対する前記ヌルトーン密度を決定し、前記ヌルトーンパターンを生成することは、前記少なくとも１つのサブフレームに関連付けられた、少なくとも１つの直交周波数分割多重（ＯＦＤＭ）シンボル上のワイヤレスローカルエリアネットワーク（ＷＬＡＮ）信号からの干渉を検出することに応答している、［１］に記載の方法。
［１３］  前記ＷＬＡＮ信号からの前記干渉を検出することに基づいて、前記ヌルトーンパターン生成を活性化することをさらに備える、［１２］に記載の方法。
［１４］  少なくとも１つの同期信号が、前記ヌルトーンパターンをパンクチャすることを許容することをさらに備える、［１］に記載の方法。
［１５］  前記ヌルトーンパターンの周りのエンハンスド物理ダウンリンク制御チャネル（ｅＰＤＣＣＨ）または物理ダウンリンク共有チャネル（ＰＤＳＣＨ）のうちの少なくとも１つに、速度マッチングをすることをさらに備える、［１］に記載の方法。
［１６］  前記ヌルトーンパターンを、地上公衆移動体ネットワークに関連付けられた１以上の基地局に対するのと同一であるように構成することをさらに備える、［１］に記載の方法。
［１７］  前記少なくとも１つのサブフレームにおけるエンハンスド物理ダウンリンク制御チャネル（ｅＰＤＣＣＨ）または物理ダウンリンク共有チャネル（ＰＤＳＣＨ）のうちの少なくとも１つをパンクチャすることをさらに備える、［１］に記載の方法。
［１８］  ワイヤレス通信のための装置であって、
少なくとも１つのサブフレームに対するヌルトーン密度を決定するための手段と、
前記ヌルトーン密度に基づいて、前記少なくとも１つのサブフレームに対するヌルトーンパターンを生成するための手段と、
前記ヌルトーンパターンを送信するための手段とを備える、装置。
［１９］  前記ヌルトーンパターンは、各リソースブロックにおける、少なくとも連続したシンボル中のヌルトーンを備える、［１８］に記載の装置。
［２０］  前記少なくとも１つのサブフレームに対する前記ヌルトーンパターンを生成するための手段は、
前記少なくとも１つのサブフレームに関連付けられた復調基準信号（ＤＭＲＳ）トーンを識別するための手段と、
前記ＤＭＲＳトーンとの衝突を回避するように、前記少なくとも１つのヌルトーンをマッピングするための手段とを備える、［１８］に記載の装置。
［２１］  前記少なくとも１つのサブフレームに対する前記ヌルトーンパターンを生成するための手段は、
前記少なくとも１つのサブフレームに関連付けられたセル特有基準信号（ＣＲＳ）トーンを識別するための手段と、
ＣＲＳによって、前記ヌルトーンパターンをパンクチャするための手段とを備える、［１８］に記載の装置。
［２２］  少なくとも１つのサブフレームに対する前記ヌルトーンパターンを生成するための手段は、
前記ヌルトーンパターンに垂直シフトを適用することによって、リソースブロックに対する前記ヌルトーンパターンを修正するための手段を備える、［１８］に記載の装置。
［２３］  少なくとも１つのサブフレームに対する前記ヌルトーンパターンを生成するための手段は、
前記少なくとも１つのサブフレームに関連付けられた同期信号を識別するための手段と、ここにおいて、前記同期信号は、一次同期信号（ＰＳＳ）および二次同期信号（ＳＳＳ）のうちの少なくとも１つであり、
ＰＳＳおよびＳＳＳのうちの１つによって、前記ヌルトーンパターンをパンクチャするための手段とを備える、［１８］に記載の装置。
［２４］  ワイヤレス通信のためのコードを記憶するコンピュータ可読媒体であって、前記コードは、
少なくとも１つのサブフレームに対するヌルトーン密度を決定し、
前記ヌルトーン密度に基づいて、前記少なくとも１つのサブフレームに対するヌルトーンパターンを生成し、
前記ヌルトーンパターンを送信することを実行可能な命令を備える、コンピュータ可読媒体。
［２５］  前記ヌルトーンパターンは、各リソースブロックにおける、少なくとも連続したシンボル中のヌルトーンを備える、［２４］に記載のコンピュータ可読媒体。
［２６］  前記少なくとも１つのサブフレームに対する前記ヌルトーンパターンを生成することを実行可能な前記命令は、
前記少なくとも１つのサブフレームに関連付けられた復調基準信号（ＤＭＲＳ）トーンを識別し、
前記ＤＭＲＳトーンとの衝突を回避するように、前記少なくとも１つのヌルトーンをマッピングすることを実行可能な命令をさらに備える、［２４］に記載のコンピュータ可読媒体。
［２７］  前記少なくとも１つのサブフレームに対する前記ヌルトーンパターンを生成するための前記命令は、
前記少なくとも１つのサブフレームに関連付けられたセル特有基準信号（ＣＲＳ）トーンを識別し、
ＣＲＳによって、前記ヌルトーンパターンをパンクチャすることを実行可能な命令をさらに備える、［２４］に記載のコンピュータ可読媒体。
［２８］  前記少なくとも１つのサブフレームに対する前記ヌルトーンパターンを生成するための前記命令は、前記ヌルトーンパターンに垂直シフトを適用することによって、リソースブロックに対する前記ヌルトーンパターンを修正することを実行可能な命令をさらに備える、［２４］に記載のコンピュータ可読媒体。
［２９］  ワイヤレス通信のための装置であって、
プロセッサと、
前記プロセッサに結合されたメモリとを備え、
前記メモリは、前記プロセッサによって、
少なくとも１つのサブフレームに対するヌルトーン密度を決定し、
前記ヌルトーン密度に基づいて、前記少なくとも１つのサブフレームに対するヌルトーンパターンを生成し、
前記ヌルトーンパターンを送信することを実行可能な命令を含んでいる、装置。
［３０］  ワイヤレス通信のための方法であって、
ユーザ機器（ＵＥ）において、ブロードキャスト情報を復号することと、
前記ブロードキャスト情報に基づいて、少なくとも１つのサブフレームに関連付けられたヌルトーンパターンを識別することと、
前記ヌルトーンパターンを識別することに基づいて、基地局と通信することとを備える、方法。
［３１］  前記ブロードキャスト情報は、無認可または共有スペクトルを通して、共通サーチ空間中で、基地局から受信される、［３０］に記載の方法。
［３２］  前記ヌルトーンパターンは、物理ダウンリンク制御チャネル（ＰＤＣＣＨ）またはエンハンスドＰＤＣＣＨ（ＥＰＤＣＣＨ）または物理ダウンリンク共有チャネル（ＰＤＳＣＨ）のうちの少なくとも１つをパンクチャすることに基づいて、識別される、［３０］に記載の方法。
［３３］  前記ＵＥは、前記ヌルトーンパターンに基づいて、無認可または共有スペクトル上で、ワイヤレスローカルエリアネットワーク（ＷＬＡＮ）またはワイヤレスワイドエリアネットワーク（ＷＷＡＮ）によって引き起こされた干渉を検出するように構成されている、［３０］に記載の方法。
［３４］  前記基地局との前記通信は、無認可または共有スペクトルを通して、行われる、［３０］に記載の方法。
［３５］  前記基地局に関連付けられた、セル識別（ＩＤ）および対応する前記ヌルトーンパターンを、メモリ中に記憶することをさらに備える、［３０］に記載の方法。
［３６］  再捕捉の最中に、基地局セルＩＤを識別することと、
前記基地局セルＩＤに関連付けられた、前記対応するヌルトーンパターンが、前記メモリ中に記憶されていることを決定することと、
前記対応するヌルトーンパターンに基づいて、チャネルを復号することとをさらに備える、［３５］に記載の方法。
［３７］  ワイヤレス通信のための装置であって、
ユーザ機器（ＵＥ）において、ブロードキャスト情報を復号するための手段と、
前記ブロードキャスト情報に基づいて、少なくとも１つのサブフレームに関連付けられたヌルトーンパターンを識別するための手段と、
前記ヌルトーンパターンを識別することに基づいて、基地局と通信するための手段とを備える、装置。
［３８］  前記ブロードキャスト情報は、共通サーチ空間中で、無認可または共有スペクトルを通して、基地局から受信される、［３７］に記載の装置。
［３９］  前記ヌルトーンパターンは、物理ダウンリンク制御チャネル（ＰＤＣＣＨ）またはエンハンスドＰＤＣＣＨ（ＥＰＤＣＣＨ）または物理ダウンリンク共有チャネル（ＰＤＳＣＨ）のうちの少なくとも１つをパンクチャするための手段に基づいて、識別される、［３７］に記載の装置。
［４０］  前記ＵＥは、前記ヌルトーンパターンに基づいて、無認可または共有スペクトル上で、ワイヤレスローカルエリアネットワーク（ＷＬＡＮ）またはワイヤレスワイドエリアネットワーク（ＷＷＡＮ）によって引き起こされた干渉を検出するように構成される、［３７］に記載の装置。
［４１］  前記基地局との前記通信は、無認可または共有スペクトルを通して、行われる、［３７］に記載の装置。
［４２］  前記基地局に関連付けられた、セル識別（ＩＤ）および対応する前記ヌルトーンパターンを、メモリ中に記憶するための手段をさらに備える、［３７］に記載の装置。
［４３］  再捕捉の最中に、基地局セルＩＤを識別するための手段と、
前記基地局セルＩＤに関連付けられた前記対応するヌルトーンパターンが、前記メモリ中に記憶されていることを決定するための手段と、
前記対応するヌルトーンパターンを復号するための手段とをさらに備える、［４２］に記載の装置。
［４４］  ワイヤレス通信のためのコードを記憶するコンピュータ可読媒体であって、前記コードは、
ユーザ機器（ＵＥ）において、ブロードキャスト情報を復号し、
前記ブロードキャスト情報に基づいて、少なくとも１つのサブフレームに関連付けられたヌルトーンパターンを識別し、
前記ヌルトーンパターンを識別することに基づいて、基地局と通信することを実行可能な命令を備える、コンピュータ可読媒体。
［４５］  前記ブロードキャスト情報は、共通サーチ空間中で、無認可または共有スペクトルを通して、基地局から受信される、［４４］に記載のコンピュータ可読媒体。
［４６］  前記ヌルトーンパターンは、物理ダウンリンク制御チャネル（ＰＤＣＣＨ）またはエンハンスドＰＤＣＣＨ（ＥＰＤＣＣＨ）または物理ダウンリンク共有チャネル（ＰＤＳＣＨ）のうちの少なくとも１つをパンクチャすることに基づいて、識別される、［４４］に記載のコンピュータ可読媒体。
［４７］  前記ＵＥは、前記ヌルトーンパターンに基づいて、無認可または共有スペクトル上で、ワイヤレスローカルエリアネットワーク（ＷＬＡＮ）またはワイヤレスワイドエリアネットワーク（ＷＷＡＮ）によって引き起こされた干渉を検出するように構成されている、［４４］に記載のコンピュータ可読媒体。
［４８］  前記基地局との前記通信は、無認可または共有スペクトルを通して、行われる、［４４］に記載のコンピュータ可読媒体。
［４９］  前記命令は、
前記基地局に関連付けられた、セル識別（ＩＤ）および対応する前記ヌルトーンパターンを、メモリ中に記憶することをさらに実行可能である、［４４］に記載のコンピュータ可読媒体。
［５０］  ワイヤレス通信のための装置であって、
プロセッサと、
前記プロセッサに結合されたメモリとを備え、
前記メモリは、前記プロセッサによって、
ユーザ機器（ＵＥ）において、ブロードキャスト情報を復号し、
前記ブロードキャスト情報に基づいて、少なくとも１つのサブフレームに関連付けられたヌルトーンパターンを識別し、
前記ヌルトーンパターンを識別することに基づいて、基地局と通信することを実行可能な命令を含む、装置。